(57)【特許請求の範囲】
【請求項１】
車両に搭載したドライブレコーダのメモリに録画する画像の画質を設定する方法であって、
前記画像の画質毎の単位時間当たりのデータ量を、前記メモリへのデータ転送レートに応じた基準値に換算した場合の該基準値に対する相対値にそれぞれ変換し、
前記相対値が前記基準値以内となるように、前記画質を設定するようにした、
ことを特徴とするドライブレコーダの録画画質設定方法。
【請求項２】
車両に搭載したドライブレコーダのメモリに録画する画像の画質を設定する装置であって、
前記画像の画質毎の単位時間当たりのデータ量を、前記メモリへのデータ転送レートに応じた基準値に換算した場合の該基準値に対する相対値にそれぞれ換算して記憶する換算テーブル記憶手段と、
前記画像の画質を指定する画質指定手段と、
前記画質指定手段により指定した画質に対応して前記換算テーブル記憶手段に記憶されている前記相対値を検出する検出手段と、
前記検出手段の検出値と前記基準値との大小関係に応じた内容のガイダンスメッセージを生成するメッセージ生成手段と、
前記メッセージ生成手段が生成した前記ガイダンスメッセージをディスプレイに表示させる表示手段と、
を備えることを特徴とするドライブレコーダの録画画質設定装置。
【請求項３】
前記画質指定手段は、前記ドライブレコーダが有する複数のカメラにそれぞれ対応する各画像の画質を個別に指定するように構成されており、前記メッセージ生成手段は、前記各カメラに対応する各画像についての前記検出手段の各検出値の合計値と前記基準値との大小関係に応じた内容の前記ガイダンスメッセージを生成することを特徴とする請求項２記載のドライブレコーダの録画画質設定装置。
【請求項４】
前記画質指定手段は、前記ドライブレコーダが複数のモードにおいてそれぞれ録画する各画像の画質を個別に指定するように構成されており、前記メッセージ生成手段は、前記各モードに対応する各画像についての前記検出手段の各検出値の合計値と前記基準値との大小関係に応じた内容の前記ガイダンスメッセージを生成することを特徴とする請求項２又は３記載のドライブレコーダの録画画質設定装置。
【発明の詳細な説明】
【技術分野】
【０００１】
本発明は、車両に搭載したドライブレコーダのメモリに録画する画像の画質を設定する方法とその装置に関するものである。
【背景技術】
【０００２】
従来より、車両に衝撃が加えられた際に、このときの車両周囲の映像、音声、走行速度等の車両の走行に関する各種の情報を記録するために、ドライブレコーダが提案され実用に供されている。ドライブレコーダを用いることにより、例えば車両が衝突事故を起こした場合に、この衝突の前後の情報が記録保存されるので、事故原因の解析等に役立てることができる。
【０００３】
従来におけるドライブレコーダとして、例えば特開２００５−１６５８０５号公報（特許文献１）に記載されたものが知られている。該特許文献１では、車両の運転状況の画像をメモリに記憶し、また、加速度センサで検出される加速度が所定値を超えた場合に、この時刻の前後の画像もメモリに記憶している。
【先行技術文献】
【特許文献】
【０００４】
【特許文献１】特開２００５−１６５８０５号公報
【発明の概要】
【発明が解決しようとする課題】
【０００５】
ドライブレコーダにおいて撮影しメモリに記憶した画像は、車両の運行終了後等の必要時に、パーソナルコンピュータ等にインストールされた解析プログラムを用いて再生される。このため、ドライブレコーダのメモリには、例えばコンパクトフラッシュ（登録商標）カードのような可搬型の記録媒体が用いられる。
【０００６】
可搬型の記録媒体は内蔵メモリに比べてアクセス速度が遅く、データの書き込み速度（データ転送レート）に限界がある。したがって、データ転送レートの上限を超えないように運行中の画像情報を可搬型の記憶媒体に漏らさず記憶させるためには、画像をどのような画質で録画するかの設定が非常に重要となる。
【０００７】
ドライブレコーダで録画する画像の画質設定は、ドライブレコーダ側で行うこともでき、解析プログラムをインストールしたパーソナルコンピュータ等の側で、可搬型の記憶媒体に設定内容を書き込むことで行うこともできる。そのいずれの場合にも、適切な画質に設定するには、静止画画質（ＶＧＡ、ＨＶＧＡ、ＱＶＧＡ等の画像サイズ）に対応するビットレートを考慮し、かつ、動画のフレームレートを考慮する必要がある。
【０００８】
しかし、ドライブレコーダのユーザが、ビットレートやフレームレートの十分な知識を有しているとは限らず、そのような知識があることを前提にした画質設定のメニューでは、ユーザにとって使い勝手のよいものとは言い難い。
【０００９】
本発明は前記事情に鑑みなされたもので、本発明の目的は、画像の画質に応じたデータ量についての詳細な知識を持たないユーザであっても、ドライブレコーダで撮影した画像をメモリに録画するのに適切な画質を容易に設定することができる録画画質設定方法と、この方法を実施する際に用いて好適な録画画質設定装置とを提供することにある。
【課題を解決するための手段】
【００１０】
上記目的を達成するため、請求項１に記載した本発明のドライブレコーダの録画画質設定方法は、
車両に搭載したドライブレコーダのメモリに録画する画像の画質を設定する方法であって、
前記画像の画質毎の単位時間当たりのデータ量を、前記メモリへのデータ転送レートに応じた基準値に換算した場合の該基準値に対する相対値にそれぞれ変換し、
前記相対値が前記基準値以内となるように、前記画質を設定するようにした、
ことを特徴とする。
【００１１】
また、上記目的を達成するため、請求項２に記載した本発明のドライブレコーダの録画画質設定装置は、
車両に搭載したドライブレコーダのメモリに録画する画像の画質を設定する装置であって、
前記画像の画質毎の単位時間当たりのデータ量を、前記メモリへのデータ転送レートに応じた基準値に換算した場合の該基準値に対する相対値にそれぞれ換算して記憶する換算テーブル記憶手段と、
前記画像の画質を指定する画質指定手段と、
前記画質指定手段により指定した画質に対応して前記換算テーブル記憶手段に記憶されている前記相対値を検出する検出手段と、
前記検出手段の検出値と前記基準値との大小関係に応じた内容のガイダンスメッセージを生成するメッセージ生成手段と、
前記メッセージ生成手段が生成した前記ガイダンスメッセージをディスプレイに表示させる表示手段と、
を備えることを特徴とする。
【００１２】
請求項１に記載した本発明のドライブレコーダの録画画質設定方法と、請求項２に記載した本発明のドライブレコーダの録画画質設定装置とによれば、画像の画質毎の単位時間当たりのデータ量を、メモリへのデータ転送レートから換算した基準値に対する相対値で表現する。
【００１３】
ここで、基準値を例えば１０や１００といった平易な値に設定すれば、設定した画質で所定時間の画像をメモリに録画した場合に、相対値が基準値以下であるか否かによって、適切な画質に設定されているかどうかを容易に確認できるようになる。
【００１４】
このため、画像の画質に応じたデータ量についての詳細な知識を持たないユーザであっても、ドライブレコーダで撮影した画像をメモリに録画するのに適切な画質を容易に設定することができる。
【００１５】
また、請求項３に記載した本発明のドライブレコーダの録画画質設定装置は、請求項２に記載した本発明のドライブレコーダの録画画質設定装置において、前記画質指定手段が、前記ドライブレコーダが有する複数のカメラにそれぞれ対応する各画像の画質を個別に指定するように構成されており、前記メッセージ生成手段が、前記各カメラに対応する各画像についての前記検出手段の各検出値の合計値と前記基準値との大小関係に応じた内容の前記ガイダンスメッセージを生成することを特徴とする。
【００１６】
請求項３に記載した本発明のドライブレコーダの録画画質設定装置によれば、請求項２に記載した本発明のドライブレコーダの録画画質設定装置において、複数のカメラによる画像の画質を個別に設定しても、各カメラの画像の画質に対応したデータ量の合計を、基準値に対する相対値に基づいた合計値によって把握することができる。このため、合計値と基準値との大小関係を示すガイダンスメッセージによって、各カメラによる画像の画質が適切に設定されているかどうかを容易に確認させ、適切な画質にそれぞれ容易に設定することができる。
【００１７】
さらに、請求項４に記載した本発明のドライブレコーダの録画画質設定装置は、請求項２又は３に記載した本発明のドライブレコーダの録画画質設定装置において、前記画質指定手段が、前記ドライブレコーダが複数のモードにおいてそれぞれ録画する各画像の画質を個別に指定するように構成されており、前記メッセージ生成手段が、前記各モードに対応する各画像についての前記検出手段の各検出値の合計値と前記基準値との大小関係に応じた内容の前記ガイダンスメッセージを生成することを特徴とする。
【００１８】
請求項４に記載した本発明のドライブレコーダの録画画質設定装置によれば、請求項２又は３に記載した本発明のドライブレコーダの録画画質設定装置において、各モードにおいてメモリに録画する画像の画質を個別に設定しても、各モードで録画する画像の画質に対応したデータ量の合計を、基準値に対する相対値に基づいた合計値によって把握することができる。このため、合計と基準値との大小関係を示すガイダンスメッセージによって、各モードで録画する画像の画質が適切に設定されているかどうかを容易に確認させ、適切な画質にそれぞれ容易に設定することができる。
【発明の効果】
【００１９】
本発明のドライブレコーダの録画画質設定方法及びその装置によれば、画像の画質に応じたデータ量についての詳細な知識を持たないユーザであっても、ドライブレコーダで撮影した画像をメモリに録画するのに適切な画質を容易に設定することができる。
【図面の簡単な説明】
【００２０】
【図１】本発明の録画画質設定方法を適用した録画画質設定装置を含む本発明の一実施形態に係るドライブレコーダシステムの概略構成図である。
【図２】図１に示すドライブレコーダの電気的構成を示すブロック図である。
【図３】図１に示すドライブレコーダ解析ユニットのディスプレイに表示される画質設定画面の一例を示す説明図である。
【図４】図１に示すドライブレコーダ解析ユニットにおいて設定可能なドライブレコーダの録画画像の画質を示すもので、（ａ）は常時記録モードで設定可能な画質を示す説明図、（ｂ）はトリガ画像記録モードで設定可能な画質を示す説明図である。
【図５】図１に示すドライブレコーダ解析ユニットにおいて設定可能なドライブレコーダの録画画像の画質とデータ転送レート（ビットレート）との関係を画質別にそれぞれ実際の数値で示すもので、（ａ）は常時記録モードの場合を示す説明図、（ｂ）はトリガ画像記録モードの場合を画面サイズ（画面解像度）別に示す説明図である。
【図６】図１に示すドライブレコーダ解析ユニットにおいて設定可能なドライブレコーダの録画画像の画質とデータ転送レート（ビットレート）との関係を画質別にそれぞれメモリ容量を基準とした換算値で示すもので、（ａ）は常時記録モードの場合を示す説明図、（ｂ）はトリガ画像記録モードの場合を画面サイズ（画面解像度）別に示す説明図である。
【図７】（ａ），（ｂ）は図３に示す画質設定画面のガイダンスメッセージ部分を拡大して示す説明図である。
【図８】図１に示すドライブレコーダ解析ユニットのパーソナルコンピュータのＣＰＵがＲＯＭに格納されたプログラムにしたがって実行する画質設定処理を示すフローチャートである。
【発明を実施するための形態】
【００２１】
以下、本発明による録画画質設定方法を適用した録画画質設定装置の実施形態を、図面を参照しながら説明する。
【００２２】
図１は本発明の録画画質設定方法を適用した録画画質設定装置を含む本発明の一実施形態に係るドライブレコーダシステムの概略構成図である。図１に示すドライブレコーダシステムは、ドライブレコーダ解析ユニット１とドライブレコーダ３とを有している。
【００２３】
ドライブレコーダ解析ユニット１は、ドライブレコーダ３を搭載する車両（図示せず）を管理する営業所等に設置される。ドライブレコーダ解析ユニット１は、キーボード１１及びディスプレイ１３を有するパーソナルコンピュータ（以下、「パソコン」と略記する。）１０と、パソコン１０に接続したプリンタ１５及びリーダライタ１７とを有している。
【００２４】
パソコン１０は、ＣＰＵ、ＲＡＭ、ＲＯＭ、及び、ハードディスク等（いずれも図示せず）を内蔵しており、ハードディスクには画像再生解析プログラムがインストールされている。
【００２５】
この画像再生解析プログラムは、ドライブレコーダ３の後述するカメラ３５ａ〜３５ｎにより撮影してＳＤメモリーカードやコンパクトフラッシュ（登録商標）カード等の可搬型メモリカード（以下、「カード」と略記する。）Ｃに録画した画像を、パソコン１０で再生したり解析するためのソフトウェアである。
【００２６】
また、画像再生解析プログラムには、カードＣ（請求項中のメモリに相当）をフォーマットするプログラムや、カメラ３５ａ〜３５ｎを用いてドライブレコーダ３により画像を録画する際の画質を設定してカードＣの専用領域に書き込むプログラムが含まれている。
【００２７】
プリンタ１５は、パソコン１０で行った設定や解析の内容等をプリントアウトする際に用いられる。リーダライタ１７は、カードスロット１７ａから挿入したカードＣに対するデータの書き込み及び読み出しを、パソコン１０のＣＰＵの制御によって行う。
【００２８】
ドライブレコーダ３は、例えば不図示の車両のフロントガラスに取り付けられる。ドライブレコーダ３の本体はカメラ３５ａを内蔵しており、また、外付けのカメラ３５ｂ〜３５ｎを有している。
【００２９】
図２のブロック図に示すように、ドライブレコーダ３は、本体に内蔵されたＣＰＵ３１、ＲＯＭ３２、ＲＡＭ３３、メモリ３４、カメラ３５ａ〜３５ｎのインタフェース（Ｉ／Ｆ）３５ｉ、カードＣに対するデータの書き込み及び読み出し用のリーダライタ３８、及び、外部接続用のインタフェース部３９を有している。このインタフェース部３９には、車両の車速センサ４１等が接続される。
【００３０】
また、ドライブレコーダ３は、各カメラ３５ａ〜３５ｎにそれぞれ対応する加速度センサ３７ａ〜３７ｎを有している。カメラ３５ａに対応する加速度センサ３７ａは本体に内装され、他の加速度センサ３７ｂ〜３７ｎは、対応する外付けの各カメラ３５ｂ〜３５ｎの設置箇所にそれぞれ配置される。
【００３１】
ドライブレコーダ３のＣＰＵ３１は、ＲＯＭ３２に格納されたプログラムにしたがって、カメラ３５ａ〜３５ｎが撮影する画像を、ＳＲＡＭ等で構成されるメモリ３４を用いて一旦録画する。そして、本体のカードスロット３８ａ（図１参照）からリーダライタ３８に挿入されたカードＣにダウンロードし書き込む。
【００３２】
カードＣに画像を録画するモードは２つある。一つは常時記録モードであり、リーダライタ３８にカードＣが装填されている間、あるいは、車両の運行開始及び終了の指示がインタフェース部３９を介して外部機器（図示せず）からＣＰＵ３１に入力される間、比較的低い画質で長時間画像を録画するモードである。
【００３３】
もう一つはトリガ記録モードであり、加速度センサ３７ａ〜３７ｎによる一定値以上の加速度検出時や、車速センサ４１から入力される車速の一定速度以上の変化、インタフェース部３９に接続された不図示の外部機器から荷台ドア開閉や作業開始等の指示が入力された際に、そのトリガ時点の前後一定時間について、比較的高い画質で短時間画像を録画するモードである。
【００３４】
ドライブレコーダ３のＣＰＵ３１は、カードＣの専用領域からリーダライタ３８が読み出した画質設定情報に基づいて、常時記録モードやトリガ記録モードでカメラ３５ａ〜３５ｎが撮影した画像をそれぞれ設定された画質でカードＣに録画する。
【００３５】
次に、図１に示すドライブレコーダ解析ユニット１のパソコン１０がリーダライタ１７に装填したカードＣの専用領域に書き込む画質設定情報の設定について、図３の説明図を参照して説明する。
【００３６】
図３に示す画質設定画面は、パソコン１０で画質設定に関するプログラムを起動することでディスプレイ１３に表示される。この画質設定画面では、ドライブレコーダ３のカメラ３５ａ〜３５ｎ（図３では５つのカメラ３５ａ〜３５ｅの場合を示している）について、常時記録モードとトリガ記録モードにおける各カメラ３５ａ〜３５ｅの画質を、キーボード１１や不図示のマウス等を用いて設定することができる。
【００３７】
画質設定画面の中段には、常時記録モードの画質設定メニューが表示される。具体的には、５つのカメラ３５ａ〜３５ｅのそれぞれについて、図４（ａ）に示す７段階の静止画画質（標準、標準＋、高画質、高画質＋、超高画質、超高画質＋、超超高画質）と、６段階の動画フレームレート（１、２、５、１０，１５、３０ｆｐｓ）とを、プルダウンメニューを用いて画質として設定することができる。
【００３８】
また、画質設定画面の下段には、トリガ記録モードの画質設定メニューが表示される。具体的には、図４（ｂ）に示す３段階の静止画画質（標準、高画質、超高画質）と、６段階の動画フレームレート（１、２、５、１０，１５、３０ｆｐｓ）とを、プルダウンメニューを用いて画質として設定することができる。さらに、トリガ記録モードについては、画質設定画面の上部にある画像サイズの選択ボックスで、画質の一部として、画像サイズ（画面解像度）を３段階（ＶＧＡ、ＨＶＧＡ、ＱＶＧＡ）に設定することができる。
【００３９】
なお、トリガ記録モードの画質設定メニューにおいては、トリガとなるイベントの発生時点の前後それぞれについて、どのくらいの時間に亘って動画をカードＣに録画するかを、「トリガ前記録時間設定」及び「トリガ後記録時間設定」の各プルダウンメニューを用いて設定することができる。
【００４０】
常時記録モードでは、各フレームレートの動画のデータ転送レート（ビットレート）が、７段階の静止画画質毎に、単位時間（この場合は１秒）当たりで図５（ａ）に示す数値となる。一方、トリガ記録モードでは、各画像サイズについて、各フレームレートの動画のデータ転送レート（ビットレート）が、３段階の静止画画質毎に、単位時間（この場合は１秒）当たりで図５（ｂ）に示す数値となる。
【００４１】
そこで、各カメラ３５ａ〜３５ｅについての各モードの画質（静止画画質、フレームレート、画像サイズ）を設定する際には、カードＣの記憶容量と比較して、必要な記録時間（特に常時記録モードの記録時間）分の画像をカードＣに録画できるように、画質を適切に設定する必要がある。しかし、仮にカードＣの記憶容量（又は録画に使用できる有効記憶容量）が事前に分かっていても、図５（ａ），（ｂ）に示すような動画のデータ転送レート（ビットレート）を実際の数値で認識しておくことは困難である。
【００４２】
したがって、任意の画質を選んだ場合にその画質がカードＣの記憶容量からして適切な設定内容であるかどうかや、不適切な場合にどのような画質を選ぶと適切な設定内容になるかを、判断するのは難しい。
【００４３】
そこで、本実施形態のドライブレコーダ解析ユニット１では、常時記録モードとトリガ記録モードとのそれぞれについて、図６（ａ），（ｂ）に示す換算テーブルを、パソコン１０の不図示のハードディスクに記憶させている。この換算テーブルは、ドライブレコーダ３のリーダライタ３８によるカードＣへのデータ転送レート（ビットレート）を基準値（本実施形態では１００）に換算し、各画質の単位時間当たりのデータ転送レート（ビットレート）を基準値（１００）に対する相対値に換算して示すものである。
【００４４】
したがって、本実施形態のドライブレコーダ解析ユニット１では、常時記録モードやトリガ記録モードの画質設定を行う際に、図３に示す画質設定画面の各メニューにおいて画質（静止画画質、フレームレート、画像サイズ）をプルダウンメニューを用いて設定すると、設定した画質のデータ転送レート（ビットレート）に対応する相対値が、「画質指数としてそれぞれのメニュー部分に表示される。
【００４５】
そして、設定した各カメラ３５ａ〜３５ｅの画質に対応する相対値の合計値（常時記録モードとトリガ記録モードとの合計値）と、カードＣへのデータ転送レートから換算した基準値（＝１００）との大小関係が、画質設定画面の下部に、ガイダンスメッセージＭとして表示される。
【００４６】
例えば、図７（ａ）に示すように、合計値が基準値以下である場合は、ガイダンスメッセージＭ中の「スロット１画質指数余裕度」の値が正の値となり、合計値が基準値（＝１００）以下である旨が、併せて表示される。
【００４７】
一方、図７（ｂ）に示すように、合計値が基準値を上回る場合は、ガイダンスメッセージＭ中の「スロット１画質指数余裕度」の値が負の値となり、合計値が基準値（＝１００）オーバーである旨と、「合計画質指数がマイナスにならないよう（静止画）画質とフレームレートの設定を見直して下さい。」とのメッセージとが、併せて表示される。
【００４８】
このため、ユーザは、ガイダンスメッセージＭの内容を見ることで、現在の画質設定が適切であるかどうかを容易に認識し、また、適切でない場合に画質設定の内容を変更した場合にも、その変更内容が適切であるかどうかを容易に認識することができる。
【００４９】
次に、以上のような画質設定を可能とするパソコン１０のＣＰＵがＲＯＭのプログラムにしたがって実行する画質設定処理の手順を、図８のフローチャートを参照して説明する。
【００５０】
まず、パソコン１０のＣＰＵは、図３の画質設定画面の各メニューにおいて、常時記録モードやトリガ記録モードにおける各カメラ３５ａ〜３５ｅの画質（静止画画質、フレームレート、画像サイズ）の設定が入力されたか否かを確認する（ステップＳ１）。設定が入力された場合は（ステップＳ１でＹＥＳ）、入力された各モードにおける各カメラ３５ａ〜３５ｅの画質の設定内容に対応する相対値を、図６（ａ），（ｂ）の換算テーブルからそれぞれ検出する（ステップＳ３）。
【００５１】
次に、パソコン１０のＣＰＵは、ステップＳ３で検出した相対値の合計値が、カードＣへのデータ転送レートから換算した基準値（＝１００）以下であるか否かを確認する（ステップＳ５）。基準値以下である場合は（ステップＳ５でＹＥＳ）、パソコン１０のＣＰＵは、図７（ａ）に示すガイダンスメッセージＭを生成する（ステップＳ７）。
【００５２】
一方、ステップＳ３で検出した相対値の合計値が基準値以下で無い場合は（ステップＳ５でＮＯ）、パソコン１０のＣＰＵは、図７（ｂ）に示すガイダンスメッセージＭを生成する（ステップＳ９）。
【００５３】
そして、パソコン１０のＣＰＵは、ステップＳ７又はステップＳ９で生成したガイダンスメッセージＭをディスプレイ１３に表示させて（ステップＳ１１）、一連の処理を終了し、次の周期でステップＳ１からの処理を再び行う。
【００５４】
以上の説明からも明らかなように、本実施形態では、図８のフローチャート中のステップＳ１が、請求項中の画質指定手段に対応する処理となっている。また、本実施形態では、図８中のステップＳ３が、請求項中の検出手段に対応する処理となっている。
【００５５】
さらに、本実施形態では、図８中のステップＳ７及びステップＳ９が、請求項中のメッセージ生成手段に対応する処理となっている。また、本実施形態では、図８中のステップＳ１１が、請求項中の表示手段に対応する処理となっている。
【００５６】
さらに、本実施形態では、換算テーブルを記憶する不図示のハードディスクを有するパソコン１０が、請求項中の換算テーブル記憶手段に相当している。また、本実施形態では、ドライブレコーダ解析ユニット１のディスプレイ１３が、請求項中のディスプレイに相当している。
【００５７】
以上に説明したように、本実施形態のドライブレコーダシステムによれば、ドライブレコーダ３のカメラ３５ａ〜３５ｎのリーダライタ３８によるカードＣへのデータ転送レートや、設定した画質に対応するデータ転送レートの実際の数値に関する知識が無くても、ドライブレコーダ解析ユニット１において、ドライブレコーダ３でカードＣに録画する際の画質を、適切な内容に設定することができる。
【００５８】
なお、本実施形態では、画質の設定幅が異なる常時記録モード及びトリガ記録モードのそれぞれについて、各カメラ３５ａ〜３５ｎの撮影画像の画質をそれぞれ設定できる構成としたが、そのための構成は省略してもよい。また、本実施形態では、複数のカメラ３５ａ〜３５ｎのそれぞれについて、撮影画像の画質を設定できる構成としたが、そのための構成は省略してもよい。
【００５９】
さらに、本実施形態では、ドライブレコーダ解析ユニット１において画質設定を行う場合について説明したが、ドライブレコーダ３で画質の設定内容を確認できるディスプレイを持たせることができれば、ドライブレコーダ３において画質設定を行う場合にも本発明を適用することができる。
【産業上の利用可能性】
【００６０】
本発明は、車両に搭載したドライブレコーダのメモリに録画する画像の画質を設定する際に用いて好適である。
【符号の説明】
【００６１】
１  ドライブレコーダ解析ユニット
３  ドライブレコーダ
１０  パーソナルコンピュータ（換算テーブル記憶手段、画質指定手段、検出手段、メッセージ生成手段、表示手段）
１１  キーボード
１３  ディスプレイ
１５  プリンタ
１７  リーダライタ
１７ａ  カードスロット
３１  ＣＰＵ
３２  ＲＯＭ
３３  ＲＡＭ
３４  メモリ
３５ａ〜３５ｎ  カメラ
３７ａ〜３７ｎ  加速度センサ
３８  リーダライタ
３８ａ  カードスロット
３９  インタフェース部
４１  車速センサ
Ｃ  可搬型メモリカード（メモリ）
Ｍ  ガイダンスメッセージ
【図１】
0005681535.tif 000002
【図２】
0005681535.tif 000003
【図３】
0005681535.tif 000004
【図４】
0005681535.tif 000005
【図５】
0005681535.tif 000006
【図６】
0005681535.tif 000007
【図７】
0005681535.tif 000008
【図８】
0005681535.tif 000009